(57)【要約】【課題】家庭等にて簡単に宅配店舗の宅配メニューを注文できる宅配メニュー受発注システムを提供する。【解決手段】調理条件を設定する設定部２と、設定部２にて設定された調理条件に基づいて加熱調理を実行する制御部４とを備えた電子レンジ１において、設定部２は宅配メニューを設定でき、更に、制御部４は設定部２にて宅配メニューが設定されたときは当該宅配メニューを外部通信網Ｎを介して宅配店舗端末７Ａ、７Ｂ、７Ｃへ発注する。更に配達時間を表示する表示部５を備え、制御部４は、宅配メニューを発注したときに宅配店舗端末から外部通信網を介して送信されてくる宅配メニューの配達時間を受信し当該配達時間を表示部５に表示する。【選択図】        図１
2004164059.tif 000002
【特許請求の範囲】
【請求項１】
調理条件を設定する設定部と、この設定部にて設定された調理条件に基づいて加熱調理を実行する制御部とを備えた加熱調理器において、前記設定部は宅配メニューを設定でき、更に、前記制御部は前記設定部にて宅配メニューが設定されたときは当該宅配メニューを外部通信網を介して宅配店舗端末へ発注することを特徴とする加熱調理器。
【請求項２】
請求項１において、更に配達時間を表示する表示部を備え、前記制御部は、宅配メニューを発注したときに宅配店舗端末から外部通信網を介して送信されてくる宅配メニューの配達時間を受信し当該配達時間を前記表示部に表示することを特徴とする加熱調理器。
【請求項３】
家庭等の宅配メニュー発注端末にて設定された宅配メニューを外部通信網を介して受信する受信部と、この受信部にて受信した宅配メニューの配達時間を直ちに外部通信網を介して前記宅配メニュー発注端末へ送信する送信部とを有することを特徴とする宅配店舗用宅配メニュー受注装置。
【請求項４】
家庭等の宅配メニュー発注端末にて設定された宅配メニューを外部通信網を介して受信する第１宅配運送業者受信部と、この第１宅配運送業者受信部にて受信した宅配メニューを複数の宅配店舗の内の当該宅配メニューを作ることができる宅配店舗へ外部通信網を介して自動転送する宅配運送業者転送部と、宅配メニューを転送された宅配店舗から外部通信網を介して送信されてくる宅配メニュー出来上がり時刻を受信する第２宅配運送業者受信部と、この宅配メニュー出来上がり時刻に基づいて、宅配運送業者が宅配店舗へ出来上がった宅配メニューを受け取りに行って当該宅配メニューを配達できる配達時間を前記宅配メニュー発注端末へ外部通信網を介して送信する宅配運送業者送信部とを備えたことを特徴とする宅配運送業者用宅配メニュー受発注装置。
【発明の詳細な説明】
【０００１】
【発明の属する技術分野】
本発明は、家庭等にて宅配店舗の宅配メニューを簡単に注文することができる宅配メニュー受発注システムに関する。
【０００２】
【従来の技術】
家庭にある電子レンジ等の調理器は、予め内蔵している調理メニュープログラムで食材を加熱・調理する機能を有する他に、最近では外部から調理メニュープログラムをダウンロードして加熱・調理する機能を有するものがある（例えば、特許文献１参照。）。
【０００３】
【特許文献１】
特開２００１−３３６７５１号公報（第１頁）
【０００４】
【発明が解決しようとする課題】
最近では宅配店舗が発達しており、宅配メニューを簡単に注文できるシステムが実現できると、一層便利になると考えられる。
【０００５】
本発明は、かかる実情に鑑み考え出されたものであり、家庭等にて簡単に宅配店舗の宅配メニューを注文できる宅配メニュー受発注システムを提供しようとするものである。
【０００６】
【課題を解決するための手段及びその効果】
本発明の請求項１の発明は、調理条件を設定する設定部と、この設定部にて設定された調理条件に基づいて加熱調理を実行する制御部とを備えた加熱調理器において、前記設定部は宅配メニューを設定でき、更に、前記制御部は前記設定部にて宅配メニューが設定されたときは当該宅配メニューを外部通信網を介して宅配店舗端末へ発注することを特徴とする。
【０００７】
請求項２の発明は、請求項１において、更に配達時間を表示する表示部を備え、前記制御部は、宅配メニューを発注したときに宅配店舗端末から外部通信網を介して送信されてくる宅配メニューの配達時間を受信し当該配達時間を前記表示部に表示することを特徴とする。
【０００８】
請求項３の発明は、宅配店舗用宅配メニュー受注装置であって、家庭等の宅配メニュー発注端末にて設定された宅配メニューを外部通信網を介して受信する受信部と、この受信部にて受信した宅配メニューの配達時間を直ちに外部通信網を介して前記宅配メニュー発注端末へ送信する送信部とを有することを特徴とする。
【０００９】
請求項４の発明は、宅配運送業者用宅配メニュー受発注装置であって、家庭等の宅配メニュー発注端末にて設定された宅配メニューを外部通信網を介して受信する第１宅配運送業者受信部と、この第１宅配運送業者受信部にて受信した宅配メニューを複数の宅配店舗の内の当該宅配メニューを作ることができる宅配店舗へ外部通信網を介して自動転送する宅配運送業者転送部と、宅配メニューを転送された宅配店舗から外部通信網を介して送信されてくる宅配メニュー出来上がり時刻を受信する第２宅配運送業者受信部と、この宅配メニュー出来上がり時刻に基づいて、宅配運送業者が宅配店舗へ出来上がった宅配メニューを受け取りに行って当該宅配メニューを配達できる配達時間を前記宅配メニュー発注端末へ外部通信網を介して送信する宅配運送業者送信部とを備えたことを特徴とする。
【００１０】
従って、宅配店舗の宅配メニューを簡単に注文することができる。また、注文時に自動的に配達時間も知ることができるため、利便性がよい。
【００１１】
【発明の実施の形態】
図１は本発明の宅配メニュー受発注システムの１実施例を示す。加熱調理器である電子レンジ１は各家庭にある。この電子レンジ１において、設定部２は調理条件を設定する調理条件設定部３を有し、制御部４は調理条件設定部３で設定された調理条件に基づいて加熱調理を実行し、表示部５は加熱条件等を表示する。更に、設定部２は宅配メニューを設定できる宅配メニュー設定部６を有する。
【００１２】
一方、宅配店舗である、例えばハンバーガー店、ドーナッツ店、ピザ店等には、各々宅配店舗用宅配メニュー受注装置７Ａ、７Ｂ、７Ｃ…が設けられている。宅配店舗用宅配メニュー受注装置７Ａ、７Ｂ、７Ｃ…は、宅配メニュー発注端末である電子レンジ１の宅配メニュー設定部６で設定された宅配メニューを受信する受信部８と、この受信部にて受信した宅配メニューの配達時間（配達時刻でもある）を直ちに宅配メニュー発注端末である電子レンジ１へ送信する送信部９とを有する。
【００１３】
さて、電子レンジ１は常時電源が入っており、宅配メニュー設定部６にて簡単に宅配メニューを発注できる。そして、宅配メニュー設定部６にて、宅配店舗、例えばハンバーガー店を選択して宅配メニュー及び個数を決定すると、制御部４は外部通信網Ｎ（インターネット網）を介して、選択された宅配店舗の宅配店舗端末である宅配店舗用宅配メニュー受注装置７Ａへ宅配メニュー及び個数を発注送信する。
【００１４】
宅配店舗用宅配メニュー受注装置７Ａにおいては、宅配メニュー及び個数が送信されてくると、これを受信部８にて受信するとともに、この受信部８にて受信した宅配メニューの配達時間を送信部９から直ちに外部通信網Ｎを介して宅配メニュー発注端末である電子レンジ１へ送信する。
【００１５】
電子レンジ１においては、配達時間が送信されてくるとこの配達時間を表示部５にて表示する。これにより、宅配メニューを発注した人は配達時間を直ちに確認でき便利である。そして、表示された配達時間通りに宅配店舗から宅配メニューが届けられるのである。
【００１６】
図２は本発明の宅配メニュー受発注システムの他の実施例を示す。加熱調理器である電子レンジ１１は各家庭にある。この電子レンジ１１において、設定部１２は調理条件を設定する調理条件設定部１３を有し、制御部１４は調理条件設定部１３で設定された調理条件に基づいて加熱調理を実行し、表示部１５は加熱条件等を表示する。更に、設定部１２は宅配メニューを設定できる宅配メニュー設定部１６を有する。
【００１７】
一方、宅配店舗である、例えばハンバーガー店、ドーナッツ店、ピザ店等には、各々宅配店舗用宅配メニュー受注装置１７Ａ、１７Ｂ、１７Ｃ…が設けられている。宅配店舗用宅配メニュー受注装置１７Ａ、１７Ｂ、１７Ｃ…は、宅配メニュー発注端末である電子レンジ１１の宅配メニュー設定部１６で設定された宅配メニューを受信する受信部１８と、この受信部にて受信した宅配メニューの出来上がり時刻を直ちに送信する送信部１９とを有する。
【００１８】
更に、宅配メニュー発注端末である電子レンジ１１と宅配店舗の宅配店舗用宅配メニュー受注装置１７Ａ、１７Ｂ、１７Ｃ…との間には、宅配運送業者用宅配メニュー受発注装置２０が存在する。この宅配運送業者用宅配メニュー受発注装置２０は、第１宅配運送業者受信部２１と、宅配運送業者転送部２２と、第２宅配運送業者受信部２３と、宅配運送業者送信部２４とを備える。
【００１９】
第１宅配運送業者受信部２１は、宅配メニュー発注端末である電子レンジ１１にて設定された宅配メニューを外部通信網Ｎ（インターネット網）を介して受信する。宅配運送業者転送部２２は、第１宅配運送業者受信部２１にて受信した宅配メニューを複数の宅配店舗の内の当該宅配メニューを作ることができる宅配店舗へ外部通信網Ｎを介して自動転送する。第２宅配運送業者受信部２３は、宅配メニューを転送された宅配店舗から外部通信網Ｎを介して送信されてくる宅配メニュー出来上がり時刻を受信する。宅配運送業者送信部２４は、この宅配メニュー出来上がり時刻に基づいて、宅配運送業者が宅配店舗へ出来上がった宅配メニューを受け取りに行って当該宅配メニューを宅配メニュー発注端末のある家庭等に配達できる配達時間（配達時刻でもある）を宅配メニュー発注端末へ外部通信網Ｎを介して送信する。
【００２０】
さて、電子レンジ１１は常時電源が入っており、宅配メニュー設定部１６にて簡単に宅配メニューを発注できる。そして、宅配メニュー設定部１６にて、宅配店舗、例えばハンバーガー店を選択して宅配メニュー及び個数を決定すると、制御部１４は外部通信網Ｎ（インターネット網）を介して、選択された宅配店舗と宅配メニューと個数に関する情報を第１宅配運送業者受信部２１へ送信する。
【００２１】
宅配運送業者用宅配メニュー受発注装置２０において、第１宅配運送業者受信部２１が選択宅配店舗と宅配メニューと個数に関する情報を受信すると、宅配運送業者転送部２２がこの宅配メニューと個数を選択宅配店舗（複数の宅配店舗の内の当該宅配メニューを作ることができる宅配店舗）へ外部通信網Ｎを介して自動転送する。即ち、当該宅配店舗の宅配店舗端末である宅配店舗用宅配メニュー受注装置１７Ａへ宅配メニュー及び個数を発注送信する。
【００２２】
宅配店舗用宅配メニュー受注装置１７Ａにおいては、宅配メニュー及び個数が送信されてくると、これを受信部１８にて受信するとともに、この受信部１８にて受信した宅配メニューの出来上がり時刻を送信部１９から直ちに外部通信網Ｎを介して送信する。
【００２３】
すると、第２宅配運送業者受信部２３がこの出来上がり時刻を受信し、宅配運送業者送信部２４が、この出来上がり時刻に基づいて、宅配店舗へ出来上がった宅配メニューを受け取りに行って当該宅配メニューを宅配メニュー発注端末（電子レンジ１１）のある家庭等に配達できる配達時間（配達時刻でもある）を宅配メニュー発注端末（電子レンジ１１）へ外部通信網Ｎを介して送信する。
【００２４】
電子レンジ１１においては、配達時間が送信されてくるとこの配達時間を表示部１５にて表示する。これにより、宅配メニューを発注した人は配達時間を直ちに確認でき便利である。そして、宅配運送業者は、宅配店舗へ宅配メニューを出来上がり時刻に受け取りに行き、当該宅配メニューを配達時間通りに発注した人へ届ける。この場合、宅配運送業者が各宅配店舗の宅配を一括して行うため効率的である。
【００２５】
今回開示された実施の形態は全ての点で例示であって制限的なものではないと考えられるべきである。本発明の範囲は上記した説明ではなく特許請求の範囲によって示され特許請求の範囲と均等の意味及び範囲内での全ての変更が含まれることが意図される。
【図面の簡単な説明】
【図１】本発明の宅配メニュー受発注システムの１実施例を示す構成図である。
【図２】本発明の宅配メニュー受発注システムの他の実施例を示す構成図である。
【符号の説明】
１      電子レンジ
２      設定部
３      調理条件設定部
４      制御部
５      表示部
６      宅配メニュー設定部
７Ａ、７Ｂ、７Ｃ      宅配店舗用宅配メニュー受注装置
８      受信部
９      送信部
１１    電子レンジ
１２    設定部
１３    調理条件設定部
１４    制御部
１５    表示部
１６    宅配メニュー設定部
１７Ａ、１７Ｂ、１７Ｃ…    宅配店舗用宅配メニュー受注装置
１８    受信部
１９    送信部
２０    宅配運送業者用宅配メニュー受発注装置
２１    第１宅配運送業者受信部
２２    宅配運送業者転送部
２３    第２宅配運送業者受信部
２４    宅配運送業者送信部
【図１】
2004164059.tif 000003
【図２】
2004164059.tif 000004